(57)【要約】      （修正有）【課題】組み立て時の変形が少なく、強固にロックすることが可能で、組立後に変形が残ることを抑制したロック構造を提供すること。【解決手段】異なる第１面板と第２面板とを連結するためのロック構造であって、第１面板の挿入片１２０の第１係止部１２２側の第１側縁が、第２係止部側の第２側縁よりなだらかな傾斜となる形状に形成され、第２面板のスリット１３０の一側には、該スリット１３０と同一方向に延びる材料が除去されていない切込部１３１を有していること。【選択図】図４
2016084167.tif 000002
【特許請求の範囲】
【請求項１】
異なる第１面板と第２面板とを連結するためのロック構造であって、
前記第１面板は、端縁に連接して延びる挿入片を備え、
前記第２面板は、前記挿入片が挿入される隙間を有したスリットを備え、
前記挿入片が、前記端縁に所定の幅で連接する連接部と、幅方向の一側に突出した第１係止部と、幅方向の他側に突出した第２係止部とを有し、
前記挿入片の前記第１係止部側の第１側縁が、前記第２係止部側の第２側縁よりなだらかな傾斜となる形状に形成され、
前記スリットの一側には、該スリットと同一方向に延びる隙間のない切込部を有していることを特徴とするロック構造。
【請求項２】
前記挿入片の前記第１係止部側の第１側縁が、前記第１面板に近い側から第１係止縁部、第１接続縁部及び第１傾斜縁部を有し、
前記第１傾斜縁部が、前記連接部の延びる方向に対し３５°以下の角度で形成されていることを特徴とする請求項１に記載のロック構造。
【請求項３】
前記スリットの長さが、前記連接部の長さ以上であることを特徴とする請求項１または請求項２に記載のロック構造。
【請求項４】
前記スリットと前記切込部とを合わせた長さが、前記連接部と前記第１係止部の幅方向の突出長さとを合わせた長さ以上であることを特徴とする請求項３に記載のロック構造。
【発明の詳細な説明】
【技術分野】
【０００１】
本発明は、異なる第１面板と第２面板とを連結するためのロック構造に関し、特に、段ボール等の紙製の箱体を形成する際に好適なロック構造に関する。
【背景技術】
【０００２】
２つの面板にそれぞれ設けられた挿入片とスリットを嵌合させて連結する構造として、粘着テープや接着剤を用いることなく、かつ、容易に分離しないように２つの面板を連結するロック構造を採用したものが公知である。
たとえば、紙製の箱に採用したロック構造として、特許文献１、２に示すように、第１面板（第２面１１、上蓋６）は端縁に連接して延びる挿入片（ロック部１３、差し込み片Ｓ）を備え、第２面板（第１面１０、上内蓋６１）は挿入片が挿入されるスリット（ロック穴１２、直線部Ｆ１）を備え、挿入片が、端縁に所定の幅で連接する連接部（連続部１４、連接部８）と、幅方向の一側に突出した第１係止部（第２突部１６、第２差し込み片下端縁部Ｓ４側の突出部分）と、幅方向の他側に突出した第２係止部（第１突部１５、第１差し込み片下端縁部Ｓ３側の突出部分）とを有したものが公知である。
【０００３】
これらの公知のロック構造は、特許文献１の図２及び特許文献２の図９に示すように、第１面板（第２面１１、上蓋６）を傾斜させた状態で、第２係止部（第１突部１５、第１差し込み片下端縁部Ｓ３側の突出部分）を側方からスライドさせるようにスリット（ロック穴１２、直線部Ｆ１）に挿入し、スリット（ロック穴１２、直線部Ｆ１）の一端に連接部（連続部１４、連接部８）を当接させた位置で第１係止部（第２突部１６、第２差し込み片下端縁部Ｓ４側の突出部分）側を押し込むことで、第１係止部（第２突部１６、第２差し込み片下端縁部Ｓ４側の突出部分）をスリット（ロック穴１２、直線部Ｆ１）の他端に第１係止部（第２突部１６、第２差し込み片下端縁部Ｓ４側の突出部分）を係止させて、容易に分離しないように２つの面板を連結するように構成されている。
【先行技術文献】
【特許文献】
【０００４】
【特許文献１】特開２００５−２１９７７８号公報
【特許文献２】特開２０１４−５０４６号公報
【発明の概要】
【発明が解決しようとする課題】
【０００５】
しかしながら、特許文献１で公知のロック構造では、第１係止部（第２突部１６）側を押し込む際に、第１係止部（第２突部１６）の弾性変形によってスリット（ロック穴１２）の他端に第１係止部（第２突部１６）を挿入するように構成されている。
このため、第１係止部（第２突部１６）の突出長さを小さくする必要があり、第１係止部（第２突部１６）側を強固にロックすることが困難であった。
また、第１係止部（第２突部１６）側の係止力が弱い状態で２つの面板を容易に分離しないようにするためには、第２係止部（第１突部１５）の突出長さを大きくする必要がある。
第２係止部（第１突部１５）の突出長さを大きくすると、組み立て時の第１面板（第２面１１）の傾斜やスライドを大きくせざるを得ず、例えば１枚のブランクから箱形に組み立てるような場合、大きく変形させなければならず作業が複雑となり、板厚、板の強度、箱の形状によっては、組立後に変形が残るため採用できないという問題があった。
【０００６】
特許文献２で公知のロック構造では、第１係止部（第２差し込み片下端縁部Ｓ４側の突出部分）側を押し込む際、第１係止部（第２差し込み片下端縁部Ｓ４側の突出部分）がスリット（直線部Ｆ１）の他端から第３面板（後板２）に設けられた第２斜め線Ｆ３及びガイド線Ｆ４を越えて（直線部Ｆ１）の他端に第１係止部（第２差し込み片下端縁部Ｓ４側の突出部分）を挿入するように構成されている。
このため、第１面板（上蓋６）をロックする位置より深く押し込む必要があり、第１面板（上蓋６）、第２面板（上内蓋６１）及び第３面板（後板２）を変形させることとなる。
また、第３面板（後板２）に設けられた第２斜め線Ｆ３及びガイド線Ｆ４は、第１係止部（第２差し込み片下端縁部Ｓ４側の突出部分）を通過させるため板厚方向にずれる変形が生じる。
これらの変形は、板厚が薄く強度が小さいものでないと弾性変形の範囲で収めることが困難となり、段ボール等のある程度の板厚と強度を有する材料の場合、特許文献１で公知のロック構造と同様に組立後に変形が残るため採用できないという問題があった。
【０００７】
そこで本発明は、前述したような公知のロック構造の問題を解決するものであって、組み立て時の変形が少なく、強固にロックすることが可能で、組立後に変形が残ることを抑制できるロック構造を提供することを目的とする。
【課題を解決するための手段】
【０００８】
本発明は、異なる第１面板と第２面板とを連結するためのロック構造であって、前記第１面板は、端縁に連接して延びる挿入片を備え、前記第２面板は、前記挿入片が挿入される隙間を有したスリットを備え、前記挿入片が、前記端縁に所定の幅で連接する連接部と、幅方向の一側に突出した第１係止部と、幅方向の他側に突出した第２係止部とを有し、前記挿入片の前記第１係止部側の第１側縁が、前記第２係止部側の第２側縁よりなだらかな傾斜となる形状に形成され、前記スリットの一側には、該スリットと同一方向に延びる隙間のない切込部を有していることより、前記課題を解決するものである。
【発明の効果】
【０００９】
本請求項１に係る発明のロック構造によれば、挿入片の第１係止部側の第１側縁が、第２係止部側の第２側縁よりなだらかな傾斜となる形状に形成され、スリットの一側には、該スリットと同一方向に延びる隙間のない切込部を有していることにより、第２係止部をスリットの一端側から挿入する際に、第１面板を大きく傾斜させることなく挿入できるとともに、第１係止部が切込部を上方から通過する距離を小さくすることが可能となる。
このことで、段ボール等のある程度の板厚と強度を有する材料であっても、第１係止部が切込部を通過する際の変形が第１係止部にも切込部にも残存せず、通過後に元の状態に復帰し、第１係止部が確実にロックされ、組立後に変形が残ることを抑制することが可能となる。
さらに、第１係止部が確実にロックされることで、第２係止部の突出長さを小さくしても、挿入片全体としての係止力を大きく確保でき、強固にロックすることが可能となる。
また、組み立て時の変形が少ないことから、１枚のブランクから箱形に組み立てるような場合でも大きく変形させる必要がなく、様々な板厚、板の強度、箱の形状のものに採用可能となる。
【００１０】
本請求項２に記載の構成によれば、挿入片の第１係止部側の第１側縁が、第１面板に近い側から第１係止縁部、第１接続縁部及び第１傾斜縁部を有し、第１傾斜縁部が連接部の延びる方向に対し３５°以下の角度で形成されていることにより、第１係止部側の第１側縁を第１傾斜縁部によってなだらかな傾斜としつつ、第１接続縁部によって、切込部を通過後の第１係止部の係止力を十分に確保する突出部分を形成することができる。
本請求項３に記載の構成によれば、スリットの長さが、連接部の長さ以上であることにより、挿入後の挿入片やスリットに変形が残留することがないため、挿入作業の際の位置決めの精度が多少低くても、挿入片とスリットの位置関係のズレが残留することがない。
本請求項４に記載の構成によれば、スリットと切込部とを合わせた長さが、連接部と第１係止部の幅方向の突出長さとを合わせた長さ以上であることより、第１係止部が切込部を通過する際に、挿入片の第１係止部側の第１側縁や切込部の端部にダメージを与えることがなく、挿入片全体としての係止力をさらに大きく確保でき、強固にロックすることが可能となる。
【図面の簡単な説明】
【００１１】
【図１】本発明の一実施形態であるロック構造を採用したケースの展開図。
【図２】本発明の一実施形態であるロック構造の挿入片の拡大説明図。
【図３】本発明の一実施形態であるロック構造のスリットの拡大説明図。
【図４】本発明の一実施形態であるロック構造の寸法関係説明図。
【図５】本発明の一実施形態であるロック構造の挿入動作説明図。
【発明を実施するための形態】
【００１２】
本発明は、異なる第１面板と第２面板とを連結するためのロック構造であって、第１面板は、端縁に連接して延びる挿入片を備え、第２面板は、挿入片が挿入される隙間を有したスリットを備え、挿入片が、端縁に所定の幅で連接する連接部と、幅方向の一側に突出した第１係止部と、幅方向の他側に突出した第２係止部とを有し、挿入片の第１係止部側の第１側縁が、第２係止部側の第２側縁よりなだらかな傾斜となる形状に形成され、スリットの一側には、該スリットと同一方向に延びる隙間のない切込部を有しており、組み立て時の変形が少なく、強固にロックすることが可能で、組立後に変形が残ることを抑制できるものであれば、その具体的な構成はいかなるものであっっても良い。
第１面板及び第２面板は、例えば１枚のブランクから組み立てる際の重なる２面であってもよく、別の部材であってもよい。
また、第１面板及び第２面板の材質はいかなるものであってもよく、段ボールが好適である。
【実施例１】
【００１３】
本発明の一実施形態であるロック構造を採用した箱体について図面に基づいて説明する。
箱体は、組立前は、図１に示すように平面に展開されたブランク材１００の状態であり、１枚の段ボールシートを打ち抜いて形成されている。
ブランク材１００は、筒状に組み立てられるように連接して設けられた第１側面板１０２、第２側面板１０３、第３側面板１０４及び第４側面板１０５と、それらに連接して設けられた天面板、フラップ及び底面板からなる。
第１側面板１０２の上方には、本実施形態のロック構造の第１面板を構成する天面板１０１、側方には筒状に形成する際の第４側面板１０５との接続片となる側面フラップ１０９、下方には第１底面板１１１が、それぞれ連接されている。
第２側面板１０３の上方には第２フラップ１０６、下方には第２底面板１１２が、それぞれ連接されている。
第３側面板１０４の上方には本実施形態のロック構造の第２面板を構成する第３フラップ１０７、下方には第３底面板１１３が、それぞれ連接されている。
第４側面板１０５の上方には第４フラップ１０８、下方には第４底面板１１４が、それぞれ連接されている。
【００１４】
本実施形態のロック構造の第１面板を構成する天面板１０１は、端縁に連接して延びる挿入片１２０を備え、第２面板を構成する第３フラップ１０７は、挿入片１２０が挿入されるスリット１３０及び切込部１３１を備えている。
挿入片１２０は、図１及び図２（図１とは上下逆転して図示）に示すように、第１面板を構成する天面板１０１の端縁と連接する連接部１２１と、幅方向の一側に突出した第１係止部１２２と、幅方向の他側に突出した第２係止部１２７とを有している。
第１側縁１２３は、図４に示すように、天面板１０１に近い側から第１係止縁部１２４、第１接続縁部１２５及び第１傾斜縁部１２６を有し、第１傾斜縁部１２６が連接部１２１の延びる方向に対しθ＝３５°の角度で形成されており、第２側縁１２８は、一般的な曲線部を持つ形状に形成されている。
このような形状とすることで、第１側縁１２３が第２側縁１２８よりなだらかな傾斜となる。
なお、第１側縁１２３が第２側縁１２８よりなだらかな傾斜となる形状であれば、それぞれ、いかなる形状であってもよく、第１傾斜縁部１２６は本実施形態のように直線部を持つものでなくてもよい。
【００１５】
スリット１３０は、図１及び図３（ａはブランク材の状態、ｂは折り曲げられた際の第３フラップ１０７上方から見た状態を図示している）に示すように、第３側面板１０４に対して第３フラップ１０７が折り曲げられた際、第２面板を構成する第３フラップ１０７の端部に折り曲げられた稜線から所定の隙間を有するように形成される。
切込部１３１は、第３側面板１０４に対して第３フラップ１０７が折り曲げられた際、スリット１３０と同一方向に延びるように折り曲げられた稜線に接して隙間を持たずに形成される。
本実施形態では、挿入片１２０の連接部１２１の幅は、図４に示すように、スリット１３０の幅Ｗｓと等しく、第１係止部１２２の連接部１２１からの突出量は、切込部１３１の幅Ｗｋと等しくなるように設定されている。
また、本実施形態では、第２係止部１２７の突出量は、第１係止部１２２の突出量と等しくなるように設定されているが、第１係止部１２２の突出量より大きいものであっても小さいものであってもよい。
【００１６】
挿入片１２０とスリット１３０の位置関係は、ブランク材１００から箱体を形成するように折り曲げた際に、図４に示すように、連接部１２１とスリット１３０の幅方向の位置が一致する関係に設定されている。
また、本実施形態では、図１及び図３に示すように、第３側面板１０４には、第３フラップ１０７側から開封切取線１４１が形成されており、挿入片１２０がスリット１３０に挿入されてロックされ箱体が完成した後は、開封切取線１４１に沿って第３側面板１０４の上方側を破断することで、スリット１３０に挿入されてロックされた挿入片１２０を抜くことなく開封するように構成されている。
【００１７】
以上のように構成された本発明の一実施形態であるロック構造を採用した箱体を組み立てる動作について説明する。
まず、ブランク材１００から、公知の方法で第１側面板１０２、第２側面板１０３、第３側面板１０４、第４側面板１０５及び側面フラップを筒状に折り、第１側面板１０２と側面フラップを接着剤等で固定することで側面部分を形成し、第１底面板１１１、第２底面板１１２、第３底面板１１３及び第４底面板１１４を筒状内側に重なるように折り込むことで底板部分を形成する。
この状態で、内容物を収容した後、第２フラップ１０６、第３フラップ１０７及び第４フラップ１０８を筒状内側に折り、挿入片１２０をスリット１３０方向に折って、最後に天面板１０１を第３フラップ１０７に重なるように折り、挿入片１２０をスリット１３０に挿入してロックすることで、内容物を収容した箱体が完成する。
【００１８】
挿入片１２０をスリット１３０に挿入してロックする本発明の一実施形態であるロック構造の動作について、図５に基づいて説明する、
まず、挿入片１２０は、図５Ａに示す状態から、スリット１３０に対しまっすぐに接近して先端の一部がスリット１３０内に、図５Ｂに示す状態まで挿入される。
図５Ｂに示す状態は、挿入片１２０の第２側縁１２８がスリット１３０の図示左側端に当接する直前であり、この状態から、第２係止部１２７の突出量相当分、挿入片１２０がスリット１３０に対して相対的に右方向にずらし、図５Ｃに示す状態とする。
【００１９】
次いで、第２係止部１２７側をスリット１３０に近づけ、第１係止部１２２側を遠ざけるように挿入片１２０を傾けて、図５Ｄに示す状態とする。
この傾いた状態で、挿入片１２０をさらにスリット１３０に進入させることで、第２係止部１２７がスリット１３０の右側端に阻止されることなくスリット１３０内に進入し、図５Ｅに示す状態とする。
また、前述の挿入片１２０の傾きは、第２係止部１２７がスリット１３０に進入した図５Ｅの状態で、第１傾斜縁部１２６がスリット１３０の図示右側端に当接する直前となるように設定される。
この時、第１傾斜縁部１２６によって、挿入片１２０の第１係止部１２２側の第１側縁１２３が、第２係止部１２７側の第２側縁１２８よりなだらかな傾斜となる形状に形成されているため、前述の挿入片１２０の傾きを小さくでき、組立の際の変形を小さく抑えることができる。
【００２０】
次いで、図５Ｅに示す状態から挿入片１２０を図示左方向にずらすことで、第２係止部１２７がスリット１３０の図示左側端に係止され、図５Ｆに示す状態となる。
この状態から、第１係止部１２２側のみを挿入してゆくと、図５Ｇに示すように、第１傾斜縁部１２６がスリット１３０の図示右側端に当接し、図５Ｈに示すように、第１係止部１２２が隙間を持たない切込部１３１を弾性的に拡げて通過し、図５Ｉに示すように、第１係止部１２２が切込部１３１を完全に通過して、挿入片１２０全体の挿入が完了する。
前述したように、第１傾斜縁部１２６によって、挿入片１２０の第１係止部１２２側の第１側縁１２３が、第２係止部１２７側の第２側縁１２８よりなだらかな傾斜となる形状に形成されているため、第１係止部１２２が切込部１３１を通過する長さが短く、図５Ｉに示す状態となった際に切込部１３１は弾性的に元の隙間を持たない状態に復帰する。
このことで、第１係止部１２２がスリット１３０の図示右側端に係止され、先に係止された第２係止部１２７とともに、挿入片１２０が全体としてスリット１３０に係止された状態でロックされる。
【００２１】
なお、図５Ａの状態から図５Ｉの状態までの動作を順次行うように説明したが、挿入片１２０の挿入方向の動作、側方への動作、傾ける動作を、同時に連続的に行ってもよい。
また、図５Ｃの状態から図５Ｄの状態までの挿入片１２０を傾ける動作は、第２係止部１２７側をスリット１３０に近づける動作、又は、第１係止部１２２側を遠ざける動作の一方のみでもよい。
また、挿入片１２０を有する天面板１０１を移動させる動作で説明したが、図５の状態変化は、挿入片１２０とスリット１３０の相対位置関係を示すものであり、天面板１０１側又はスリット１３０を有する第３フラップ１０７側のいずれを移動させてもよく、両方を移動させてもよい。
【符号の説明】
【００２２】
１００  ・・・  ブランク材
１０１  ・・・  天面板（第１面板）
１０２  ・・・  第１側面板
１０３  ・・・  第２側面板
１０４  ・・・  第３側面板
１０５  ・・・  第４側面板
１０６  ・・・  第２フラップ
１０７  ・・・  第３フラップ（第２面板）
１０８  ・・・  第４フラップ
１０９  ・・・  側面フラップ
１１１  ・・・  第１底面板
１１２  ・・・  第２底面板
１１３  ・・・  第３底面板
１１４  ・・・  第４底面板
１２０  ・・・  挿入片
１２１  ・・・  連接部
１２２  ・・・  第１係止部
１２３  ・・・  第１側縁
１２４  ・・・  第１係止縁部
１２５  ・・・  第１接続縁部
１２６  ・・・  第１傾斜縁部
１２７  ・・・  第２係止部
１２８  ・・・  第２側縁
１３０  ・・・  スリット
１３１  ・・・  切込部
１４１  ・・・  開封切取線
【図１】
2016084167.tif 000003
【図２】
2016084167.tif 000004
【図３】
2016084167.tif 000005
【図４】
2016084167.tif 000006
【図５】
2016084167.tif 000007